【手続補正書】
【提出日】平成27年9月1日(2015.9.1)
【手続補正１】
【補正対象書類名】特許請求の範囲
【補正対象項目名】全文
【補正方法】変更
【補正の内容】
【特許請求の範囲】
【請求項１】
印刷装置に供給する印刷材を収容するための印刷材収容室と、
前記印刷材収容室に収容された前記印刷材を前記印刷装置に供給する印刷材供給口と、
前記印刷材供給口の内部と外部とを連通させる開放路と、備え、
前記印刷材供給口は、一端部に開口端を有し、
前記開放路は、一端部に連通口を有し、
前記開放路の前記一端部側に位置する前記連通口を含む内部路は、前記印刷材供給口の内部に設けられている、カートリッジに前記印刷材を注入する注入方法であって、
前記内部路を塞ぐ工程と、
前記内部路を塞いだ後に、前記印刷材供給口を介して前記印刷材収容室に前記印刷材を注入する工程と、を備える注入方法。
【請求項２】
請求項１に記載の注入方法であって、さらに、
前記注入する工程の前に、外部と前記印刷材供給口の内部とを連通させる流路を有する部材を用いて、前記開口端を封止する工程を備える、注入方法。
【請求項３】
印刷装置に供給する印刷材を収容するための印刷材収容室と、
前記印刷材収容室に収容された前記印刷材を前記印刷装置に供給する複数の印刷材供給口と、
前記複数の印刷材供給口の内部と外部とを連通させる開放路と、備え、
前記複数の印刷材供給口は、それぞれ一端部に開口端を有し、
前記開放路は、前記それぞれの一端部に連通口を有し、
前記開放路の前記一端部側に位置する前記連通口を含む内部路は、前記複数の印刷材供給口の内部にそれぞれ設けられている、カートリッジに前記印刷材を注入する注入方法であって、
前記複数の印刷材供給口のうち、少なくとも１つの印刷材供給口の内部に設けられた前記内部路を塞ぐ工程と、
前記内部路を塞いだ後に、前記少なくとも１つの印刷材供給口から前記印刷材収容室に前記印刷材を注入する工程と、を備える注入方法。
【請求項４】
請求項３に記載の注入方法であって、
前記注入する工程の前に、外部と前記印刷材供給口の内部とを連通させる流路を有する部材を用いて、前記少なくとも１つの印刷材供給口の前記開口端を封止する工程を備える、注入方法。
【請求項５】
請求項１から請求項４までのいずれか一項に記載の注入方法であって、
前記カートリッジは、さらに、
前記印刷材収容室内に配置された表面を有し、前記表面と接触する流体の屈折率に応じて前記表面の光の反射状態が変化する検出部材を備え、
前記注入方法は、前記カートリッジが前記印刷装置に装着された状態において、少なくとも前記検出部材の前記表面が前記印刷材に浸かるまで前記印刷材を前記印刷材収容室に注入する、注入方法。
【請求項６】
請求項１から請求項５までのいずれか一項に記載の注入方法であって、さらに、
前記注入する工程の後に、前記開口端が前記印刷材収容室よりも上側に位置する状態で前記印刷材供給口を介して前記印刷材収容室内の空気を外部に排出する工程を含み、
前記注入する工程と、前記排出する工程とを少なくとも１回ずつ行なう、注入方法。
【請求項７】
印刷装置に供給する印刷材を収容するための印刷材収容室と、
前記印刷材収容室に収容された前記印刷材を前記印刷装置に供給する印刷材供給口と、
前記印刷材供給口の内部と外部とを連通させる開放路と、を備え、
前記印刷材供給口は、一端部に開口端を有し、
前記開放路は、一端部に連通口を有し、
前記開放路の前記一端部側に位置する前記連通口を含む内部路は、前記印刷材供給口の内部に設けられている、カートリッジに印刷材を注入するために用いる注入キットであって、
前記内部路を塞ぐための栓ユニットと、
前記印刷材供給口を介して前記印刷材収容室に前記印刷材を注入するための注入ユニットと、を備える注入キット。
【請求項８】
請求項７に記載の注入キットであって、さらに、
外部と前記印刷材供給口の内部とを連通させる流路を有し、前記開口端を封止する封止ユニットを備える、注入キット。
【請求項９】
印刷装置に供給する印刷材を収容するための印刷材収容室と、
前記印刷材収容室に収容された前記印刷材を前記印刷装置に供給する複数の印刷材供給口と、
前記複数の印刷材供給口の内部と外部とを連通させる開放路と、備え、
前記複数の印刷材供給口は、それぞれ一端部に開口端を有し、
前記開放路は、前記それぞれの一端部に連通口を有し、
前記開放路の前記一端部側に位置する前記連通口を含む内部路は、前記複数の印刷材供給口の内部にそれぞれ設けられている、カートリッジに印刷材を注入するために用いる注入キットであって、
前記複数の印刷材供給口の内部にそれぞれ設けられた前記内部路を塞ぐための栓ユニットと、
前記複数の印刷材供給口のうち、少なくとも１つの印刷材供給口を介して前記印刷材収容室に前記印刷材を注入するための注入ユニットと、を備える注入キット。
【請求項１０】
請求項９に記載の注入キットであって、
前記複数の印刷材供給口の前記開口端を封止する封止ユニットを備える、注入キット。
【請求項１１】
印刷装置に供給する印刷材を収容するための印刷材収容室と、
前記印刷材収容室に収容された前記印刷材を前記印刷装置に供給する印刷材供給口と、
前記印刷材供給口の内部と外部とを連通させる開放路と、を備え、
前記印刷材供給口は、一端部に開口端を有し、
前記開放路は、一端部に連通口を有し、
前記開放路の前記一端部側に位置する前記連通口を含む内部路は、前記印刷材供給口の内部に設けられている、カートリッジに前記印刷材を注入するために用いる注入装置であって、
前記内部路を塞ぐための栓ユニットと、
前記印刷材供給口を介して前記印刷材収容室に前記印刷材を注入するための注入ユニットと、を備える注入装置。
【請求項１２】
請求項１１に記載の注入装置であって、さらに、
外部と前記印刷材供給口の内部とを連通させる流路を有し、前記開口端を封止する封止ユニットを備える、注入装置。
【請求項１３】
印刷装置に供給する印刷材を収容するための印刷材収容室と、
前記印刷材収容室に収容された前記印刷材を前記印刷装置に供給する複数の印刷材供給口と、
前記複数の印刷材供給口の内部と外部とを連通させる開放路と、備え、
前記複数の印刷材供給口は、それぞれ一端部に開口端を有し、
前記開放路は、前記それぞれの一端部に連通口を有し、
前記開放路の前記一端部側に位置する前記連通口を含む内部路は、前記複数の印刷材供給口の内部にそれぞれ設けられている、カートリッジに前記印刷材を注入するために用いる注入装置であって、
前記複数の印刷材供給口の内部にそれぞれ設けられた前記内部路を塞ぐための栓ユニットと、
前記複数の印刷材供給口のうち、少なくとも１つの印刷材供給口を介して前記印刷材収容室に前記印刷材を注入するための注入ユニットと、を備える注入装置。
【請求項１４】
請求項１３に記載の注入装置であって、
前記複数の印刷材供給口の前記開口端を封止する封止ユニットを備える、注入装置。
【手続補正２】
【補正対象書類名】明細書
【補正対象項目名】０００７
【補正方法】変更
【補正の内容】
【０００７】
（１）本発明の一形態によれば、印刷装置に供給する印刷材を収容するための印刷材収容室と、前記印刷材収容室に収容された前記印刷材を前記印刷装置に供給する印刷材供給口と、前記印刷材供給口の内部と外部とを連通させる開放路と、備え、前記印刷材供給口は、一端部に開口端を有し、前記開放路は、一端部に連通口を有し、前記開放路の前記一端部側に位置する前記連通口を含む内部路は、前記印刷材供給口の内部に設けられている、カートリッジに前記印刷材を注入する注入方法であって、前記内部路を塞ぐ工程と、前記内部路を塞いだ後に、前記印刷材供給口を介して前記印刷材収容室に前記印刷材を注入する工程と、を備える注入方法が提供される。
この形態の注入方法によれば、内部路を塞いだ後に印刷材を注入することにより、開放路を通って印刷材が外部に漏れ出すことを抑制できる。
【手続補正３】
【補正対象書類名】明細書
【補正対象項目名】０００９
【補正方法】変更
【補正の内容】
【０００９】
（３）本発明の他の一形態によれば、印刷装置に供給する印刷材を収容するための印刷材収容室と、前記印刷材収容室に収容された前記印刷材を前記印刷装置に供給する複数の印刷材供給口と、前記複数の印刷材供給口の内部と外部とを連通させる開放路と、備え、前記複数の印刷材供給口は、それぞれ一端部に開口端を有し、前記開放路は、前記それぞれの一端部に連通口を有し、前記開放路の前記一端部側に位置する前記連通口を含む内部路は、前記複数の印刷材供給口の内部にそれぞれ設けられている、カートリッジに前記印刷材を注入する注入方法であって、前記複数の印刷材供給口のうち、少なくとも１つの印刷材供給口の内部に設けられた前記内部路を塞ぐ工程と、前記内部路を塞いだ後に、前記少なくとも１つの印刷材供給口から前記印刷材収容室に前記印刷材を注入する工程と、を備える注入方法が提供される。
この形態の注入方法によれば、印刷材供給口及び内部路を複数備える場合でも、印刷材供給口を介して印刷材を注入する際に、開放路を通って印刷材が外部に漏れ出すことを抑制できる。
【手続補正４】
【補正対象書類名】明細書
【補正対象項目名】００１３
【補正方法】変更
【補正の内容】
【００１３】
（７）本発明の他の一形態によれば、印刷装置に供給する印刷材を収容するための印刷材収容室と、前記印刷材収容室に収容された前記印刷材を前記印刷装置に供給する印刷材供給口と、前記印刷材供給口の内部と外部とを連通させる開放路と、を備え、前記印刷材供給口は、一端部に開口端を有し、前記開放路は、一端部に連通口を有し、前記開放路の前記一端部側に位置する前記連通口を含む内部路は、前記印刷材供給口の内部に設けられている、カートリッジに印刷材を注入するために用いる注入キットまたは注入装置であって、前記内部路を塞ぐための栓ユニットと、前記印刷材供給口を介して前記印刷材収容室に前記印刷材を注入するための注入ユニットと、を備える注入キットまたは注入装置が提供される。
本発明の他の一形態の注入キットまたは注入装置によれば、栓ユニットによって内部路を塞ぐことで、印刷材供給口を介して印刷材を注入する際に、開放路を通って印刷材がカートリッジの外部に漏れ出すことを抑制できる。
【手続補正５】
【補正対象書類名】明細書
【補正対象項目名】００１５
【補正方法】変更
【補正の内容】
【００１５】
（９）本発明の他の一形態によれば、印刷装置に供給する印刷材を収容するための印刷材収容室と、前記印刷材収容室に収容された前記印刷材を前記印刷装置に供給する複数の印刷材供給口と、前記複数の印刷材供給口の内部と外部とを連通させる開放路と、備え、前記複数の印刷材供給口は、それぞれ一端部に開口端を有し、前記開放路は、前記それぞれの一端部に連通口を有し、前記開放路の前記一端部側に位置する前記連通口を含む内部路は、前記複数の印刷材供給口の内部にそれぞれ設けられている、カートリッジに印刷材を注入するために用いる注入キット又は注入装置であって、前記複数の印刷材供給口の内部にそれぞれ設けられた前記内部路を塞ぐための栓ユニットと、前記複数の印刷材供給口のうち、少なくとも１つの印刷材供給口を介して前記印刷材収容室に前記印刷材を注入するための注入ユニットと、を備える注入キット又は注入装置が提供される。
この形態の注入キットまたは注入装置によれば、印刷材供給口及び内部路を複数備えるカートリッジに印刷材を注入する場合でも、開放路を通って印刷材がカートリッジの外部に漏れ出すことを抑制できる。